(57)【要約】【課題】シート上に貼付されたラベルを自動的に剥がし、効率的にラベル剥離作業を行う装置を提供すること。【解決手段】搬送台と、前記搬送台上方でシートを給送する給送手段と、前記搬送台下方でシートを搬送する搬送手段と、前記搬送台から前記搬送手段へシートをガイドするガイド部材と、剥離手段と、前記ガイド部材及び前記剥離手段を駆動する駆動手段と、を有し、シートが前記搬送台端部を通過した後に前記駆動軸及び前記ガイド部材を所定方向に回動させてシートの搬送方向下流の一部を下方に移動させ、シートを前記搬送手段にて、シートを前記搬送台端部にて折り曲げるように搬送し、前記搬送手段による搬送を開始した後に、前記駆動軸を前記所定方向と反対方向に回動させて前記剥離手段をシートに当接させ、前記搬送台端部において、ラベルの有する弾性力により剥離したラベルを前記剥離手段により分離することを特徴とする。【選択図】　図１
2004137069.tif 000002
【特許請求の範囲】
【請求項１】
ラベルが粘着剤で貼付されたシートを搬送する搬送台と、
前記搬送台の上方でシートを給送する給送手段と、
前記搬送台の下方でシートを搬送する搬送手段と、
前記搬送台から前記搬送手段へシートをガイドするガイド部材と、
シートを挟んで前記搬送台と当接することでシートに貼付されたラベルを剥離させる剥離手段と、
前記ガイド部材及び前記剥離手段を駆動する駆動手段と、を有し、
シートが前記搬送台端部を通過した後に前記駆動軸及び前記ガイド部材を所定方向に回動させてシートの搬送方向下流の一部を下方に移動させ、
シートを前記搬送手段にて、シートを前記搬送台端部にて折り曲げるように搬送し、
前記搬送手段による搬送を開始した後に、前記駆動軸を前記所定方向と反対方向に回動させて前記剥離手段をシートに当接させ、
前記搬送台端部において、ラベルの有する弾性力により剥離したラベルを前記剥離手段により分離することを特徴とするラベル剥離装置。
【請求項２】
請求項１に記載のラベル剥離装置であって、
前記搬送手段の回転速度を、前記給送手段の回転速度よりも速く設定することで、前記シートに張力を与えることを特徴とするラベル剥離装置。
【発明の詳細な説明】
【０００１】
【発明の属する技術分野】
本発明は葉書などのシートに貼り付けられたラベルを剥離させるラベル剥離装置に関する。
【０００２】
【従来の技術】
葉書に銀行口座等の個人情報を記入して銀行等の機関に返送する場合、個人情報の機密を保持するため、該個人情報の上にラベルを貼り付けて隠蔽する手段がとられている。従来、このような葉書を回収した機関は、人手を使って貼付されたラベルを剥がさなくてはならなかったため、ラベルの剥離作業に手間がかかっていた。
【０００３】
このため、ラベルの剥がし作業を容易とするため、加熱されることで粘着力の弱まる性質をもつ粘着剤にて貼付されたラベルのついた葉書を対象にした、ラベル剥離装置が考案されている（例えば、特許文献１参照。）。
【０００４】
【特許文献１】
特開平９−９５０９６号公報（図１）
【０００５】
【発明が解決しようとする課題】
しかしながら、加熱されることで粘着力の落ちる性質をもたない粘着剤でラベルが貼り付けられている場合は、上記特許文献の技術は使用できない。このため、粘着剤の性質によらず、葉書等のシート上に貼り付けられたラベルを自動的に剥がす手段が求められている。
【０００６】
本発明の目的は、シート上に貼付されたラベルを自動的に剥がし、効率的にラベル剥離作業を行う装置を提供することにある。
【０００７】
【課題を解決するための手段】
上記目的を達成するための、本発明の代表的な構成は、ラベルが粘着剤で貼付されたシートを搬送する搬送台と、前記搬送台の上方でシートを給送する給送手段と、前記搬送台の下方でシートを搬送する搬送手段と、前記搬送台から前記搬送手段へシートをガイドするガイド部材と、シートを挟んで前記搬送台と当接することでシートに貼付されたラベルを剥離させる剥離手段と、前記ガイド部材及び前記剥離手段を駆動する駆動手段と、を有し、シートが前記搬送台端部を通過した後に前記駆動軸及び前記ガイド部材を所定方向に回動させてシートの搬送方向下流の一部を下方に移動させ、シートを前記搬送手段にて、シートを前記搬送台端部にて折り曲げるように搬送し、前記搬送手段による搬送を開始した後に、前記駆動軸を前記所定方向と反対方向に回動させて前記剥離手段をシートに当接させ、前記搬送台端部において、ラベルの有する弾性力により剥離したラベルを前記剥離手段により分離することを特徴とする。
【０００８】
【発明の実施の形態】
以下、図面を用いて本発明のラベル剥離装置の特徴部分を中心に説明する。説明にあたっては、まず、装置の全体構成を説明した後、装置の動作を説明する。図１はラベル剥離装置の全体構成を示す図であり、図１（ａ）が表面から見た図、図１（ｂ）が裏面から見た図である。
【０００９】
（全体構成）
図１（ａ）に示すように、ラベル剥離装置Ａは、ラベルＲが貼付された葉書等のシートＳを載せて搬送する搬送台１と、シートＳの先端をガイドする挿入ガイド２と、載置されたシートＳの給送を行う給送ローラ（給送手段）３と、給送ローラ３の下流でシートＳを押さえる押さえ台４と、を有する。尚、給送ローラ３の上流側には、シートＳの給送ローラ３への設置等を検知するセンサＳ１を有する。
【００１０】
搬送台端部１ａの上方には、駆動軸５が配設されている。駆動軸５には半円筒状の搬送ガイド（ガイド部材）６が付帯されており、更に駆動軸５からリンク機構８を介して剥離板（剥離手段）７が連結している。このため、駆動軸５が回動すると、搬送ガイド６は駆動軸５を中心に回動し、剥離板７はリンク機構８を介して装置本体の摺動部７ａに沿って昇降する。
【００１１】
搬送台端部１ａの下方には、搬送ガイド６によりガイドされたシートＳの搬送を行う搬送ローラ（搬送手段）９、１０が配設されている。また、搬送ローラ９、１０の下流側にはシートＳが搬送ローラ９、１０に到達したことを検知するセンサＳ２（後述）が配設されている。
【００１２】
図１（ｂ）に示すように、ラベル剥離装置Ａは、第一駆動手段として搬送モータ１１を、第二駆動手段として駆動モータ１２とを有する。搬送モータ１１からは、給送ローラ３、搬送ローラ９及び搬送ローラ１０の軸に巻きかけられたベルト１１ａにより駆動が伝達される。また、駆動モータ１２からは駆動軸５の軸に巻きかけられたベルト１２ａにより駆動が伝達され、搬送ガイド６及び剥離板７の昇降を行う。尚、各モータの制御は不図示の制御手段により行われている。
【００１３】
（ラベル剥離動作）
次に図２乃至図７を用いて、ラベルＲが貼付されたシートＳをラベル剥離装置Ａに設置した後、シートＳ上のラベルＲが剥離するまでの動作を説明する。図２はシートを搬送台に設置したときの状態を示す図であり、図３はシートの定寸送りが完了した状態を示す図であり、図４は搬送ガイドを下降させた状態を示す図であり、図５は搬送ガイドがシートを搬送ローラにガイドした状態を示す図であり、図６は剥離板を上昇させてラベルの剥離を開始した状態を示す図であり、図７はラベルの剥離が終了した状態を示す図である。
【００１４】
図２に示すように、初期状態では搬送ガイド６及び剥離板７が上昇した状態でシート搬送を待機している。使用者が、ラベルＲ面を上にしてシートＳを給送ローラ３に当接させると、挿入センサＳ１によりシートＳが検知される。このとき、給送ローラ３の方向へシートをガイドする挿入ガイド２が給送ローラ３の上流側に設置されているため、シートＳは容易に給送ローラ３へ当接される。
【００１５】
挿入センサＳ１によるシートＳの検知が行われると、給送ローラ３が回転し、シートＳを搬送台端部１ａ方向に搬送する。シートＳの搬送が進み、搬送台端部１ａからシートが一定の長さだけ突出する（図３参照）。尚、このとき搬送台端部１ａには押さえ台４が配設されているため、シートＳの先端が上側にカールしていた時でも、確実に搬送台端部１ａからシートＳを突出させることができる。
【００１６】
すると、駆動軸５が図中時計回りに９０°回動する（図４参照）。駆動軸５に付帯されている半円筒状の搬送ガイド６も駆動軸５を中心に回動するため、シートＳを搬送台１から搬送ローラ９及び搬送ローラ１０のニップ部へとＵターンさせるガイドが形成される。尚、同時に剥離板７がリンク機構８から駆動が伝達され、摺動部７ａに沿って下降するため、シートの搬送を妨げることはない。
【００１７】
給送ローラ３により搬送が続けられると、シートＳの先端は搬送ガイド６の円周面に沿って搬送ローラ９と搬送ローラ１０とのニップ部にガイドされ、到達する（図５参照）。シートが搬送ローラ９及び搬送ローラ１０のニップ部に到達すると、搬送ローラ対のすぐ下流にあるセンサＳ２がシートＳを検知する。
【００１８】
センサＳ２がシートを検知すると、駆動軸５が図中反時計回りに回動し、搬送ガイド６及び剥離板７を上昇させる（図６参照）。すると、搬送ガイド６がシートＳから離間し、代わりに剥離板７がシートＳに当接する。搬送ローラ９、１０は不図示のギアのギア比を給送ローラ３のギア比と変えることで、給送ローラ３よりも回転速度を速く設定している。給送ローラ３の速度よりも搬送ローラ９、１０の回転速度を速く設定することで、シートを上流側へ引っ張り（張力を与え）、シートＳを搬送台端部１ａを折り目として鋭角に折り返すことができる。
【００１９】
このように、先端を搬送ローラ９、１０にて挟持されて搬送されるシートＳが鋭角に折り返されつつ、ラベルＲが貼付されている部分が搬送台端部１ａに到達する。すると、シートＳ上部に粘着剤で貼り付けられているだけのラベルＲは、その弾性力により搬送されるままの形状を維持しようとする。このため、ラベルＲの端部は粘着剤の粘着力に抗してシートＳから剥離する。このとき、剥離板７が丁度シートＳとラベルＲの間に入り込むため、シートの搬送が進むとラベルＲをシートＳから分離することができる。
【００２０】
更にシートＳの搬送が進むと、ラベルＲはシートＳから完全に分離する（図７参照）。その後センサＳ２がシートＳの後端を検知すると、制御手段は搬送モータ１１の駆動を停止させて剥離作業を終了させる。
【００２１】
以上のように本発明においては、シートＳを鋭角に折り曲げ、ラベルＲの端部を剥離させ、剥離した箇所からシートＳとラベルＲとを物理的に分離する。このように、人手でシートＳとラベルＲの剥離作業を行う場合と同様の方法で剥離作業を行ない、粘着剤の性質等によらず剥離作業が行うことができるため、人手で行う剥離作業を確実に効率化することができる。
【００２２】
また、搬送ガイド６及び剥離板７を一つの駆動軸５の動作により操作できるので、搬送ガイド６や剥離板７を動作させる駆動手段を別々に用意する必要がない。このため、制御が容易になり、また装置を低価格で製作することができる。
【００２３】
（他の実施形態）
前述した実施形態においては、一枚のラベル付きシートを人手により給送ローラに当接させたが、これに限るものではない。例えば、複数のシートを積載する積載手段と、複数のシートから一枚を自動的に分離する分離手段とを、搬送台の上流側に配設して、積載されたシートを自動的に給送ローラに当接させる構成としてもよい。尚、前記分離手段としては、シートを繰り出す給送ローラと、ゴム等の摩擦係数の高い樹脂から構成される分離パッドとから構成される分離パッド方式のものでも、また給送ローラと、該給送ローラと逆方向に回転し該給送ローラと当接するリタードローラとから構成される分離ローラ方式のものでもよい。このような構成とすれば、複数枚のラベル付きシートについてラベル剥離作業をより効率的に行うことができる。
【００２４】
また前述した実施形態においては、シートＳを搬送台端部１ａにおいて鋭角に折り曲げることとした。鋭角に曲げることでより容易にラベルＲはシートＳから剥離するため好適であるが、これに限るものではなく、直角又は鈍角であっても、剥離板がシートＳとラベルＲとの間に挿入される隙間ができればよい。
【００２５】
また前述した実施形態に加えて、搬送台端部１ａより搬送方向上流側に、シートＳ（特にラベルＲ）に対して熱を与えるセラミックヒーター等の加熱手段を配設することもできる。この加熱手段は、押さえ台４に取り付けてもよいし、給送ローラ３内に配設する構成としてもよく、また独立した位置に配設する構成としてもよい。この構成によれば、加熱により粘着力の弱まる性質をもつ粘着剤にて貼付されたラベルの剥離作業を、より効率的に行なうことができる。
【００２６】
【発明の効果】
以上のように、本発明においては、搬送台の上方にある給送手段に給送されたラベルが貼付されたシートを、ガイド部材により前記搬送台の下方にある搬送手段に受け渡し、搬送台端部にてシートを鋭角に折り曲げる。これによりラベルが前記搬送台端部へ到達した時、該ラベルの有する弾性力により該ラベルが前記シートから剥離し、この剥離した場所に剥離手段を当接させることで、前記ラベルをシートから分離する。このため、シート上に貼付されたラベルを自動的に剥がし、効率的にラベル剥離作業を行うことができる。
【図面の簡単な説明】
【図１】ラベル剥離装置の全体構成を示す図である。
【図２】シートを搬送台に設置したときの状態を示す図である。
【図３】シートの定寸送りが完了した状態を示す図である。
【図４】搬送ガイドを下降させた状態を示す図である。
【図５】搬送ガイドがシートを搬送ローラにガイドした状態を示す図である。
【図６】剥離板を上昇させてラベルの剥離を開始した状態を示す図である。
【図７】ラベルの剥離が終了した状態を示す図である。
【符号の説明】
Ａ　…ラベル剥離装置、Ｒ　…ラベル、Ｓ　…シート、
Ｓ１　…センサ、Ｓ２　…センサ、
１　…搬送台、１ａ　…搬送台端部、２　…挿入ガイド、
３　…給送ローラ、４　…押さえ台、５　…駆動軸、
６　…搬送ガイド、７　…剥離板、７ａ　…摺動部、
８　…リンク機構、９　…搬送ローラ、１０　…搬送ローラ、
１１　…搬送モータ、１１ａ　…ベルト、１２　…駆動モータ、１２ａ　…ベルト
【図１】
2004137069.tif 000003
【図２】
2004137069.tif 000004
【図３】
2004137069.tif 000005
【図４】
2004137069.tif 000006
【図５】
2004137069.tif 000007
【図６】
2004137069.tif 000008
【図７】
2004137069.tif 000009